(57)【特許請求の範囲】
【請求項１】
外部床下地上に、断熱材、耐水鋼板および防水シートが接着剤を介して順に貼着され、防水シートの上端部が腰壁に接着剤を介して貼着された防水床において、腰壁に防水シートを貼着する際に使用される施工用治具であって、この施工用治具は、磁石を配設した基部と、この基部の前方に配置されて基部に対してその前方側に自重で回動するように軸支され、表面に弾性体が貼着された押圧部と、から構成され、基部が磁石を介して耐水鋼板に吸着されるとともに、押圧部が弾性体を介して腰壁に貼着された防水シートを押圧することを特徴とする防水床の施工用治具。
【発明の詳細な説明】
【０００１】
【発明の属する技術分野】
本発明は、防水床の施工用治具に関するものである。
【０００２】
【従来の技術】
従来、図３に示すように、バルコニーや屋上床など外部床の防水床１０は、ＡＬＣ床材などの外部床下地１１上に接着剤を介して貼着された断熱材１２と、この断熱材１２上に接着剤を介して貼着された耐水鋼板１３と、この耐水鋼板１３上に接着剤を介して貼着された防水シート１４と、から構成されている。
【０００３】
ここで、断熱材１２は、発泡ポリスチレン樹脂を板状に形成されたものである。
【０００４】
また、耐水鋼板１３は、鋼板の表面または表裏両面に塩化ビニルなどの耐水性皮膜をコーティングしたもので、断熱材１２に貼着される平坦部１３１と、平坦部１３１の一端縁から上方に立ち上げられた立ち上がり部１３２とを備えている。そして、立ち上がり部１３２の上端部近傍には、ビス穴１３２ａ（図４参照）が形成されており、立ち上がり部１３２を腰壁１５に沿ってあてがい、ビス穴１３２ａを通して腰壁１５にビスを打ち込むことにより、ビス止めされる。
【０００５】
防水シート１４は、軟質塩化ビニルなどの樹脂からなり、耐水鋼板１３の平坦部１３１の腰壁１５側の端縁部近傍から立ち上がり部１３２に沿って貼着され、さらに、上方に延設されて、腰壁１５の上部までを被覆するものである。
【０００６】
このように構成された防水床１０を施工するには、まず、外部床下地１１に接着剤を塗布し、断熱材１２を接着する。次いで、断熱材１２に接着剤を塗布し、断熱材１２に耐水鋼板１３の平坦部１３１を貼着するとともに、その立ち上がり部１３２を腰壁１５に沿わせ、ビス穴１３２ａを通してビスを打ち込み、腰壁１５に固定する。この後、耐水鋼板１３の平坦部１３１の立ち上がり部１３２近傍および立ち上がり部、さらには、腰壁１５に接着剤を塗布し、耐水鋼板１３の立ち上がり部１３２近傍の平坦部１３１および立ち上がり部１３２、腰壁１５に沿って防水シート１４を貼着するものである。この際、耐水鋼板１３の立ち上がり部１３２を固定するビスの頭部が被覆される。
【０００７】
なお、図４に示すように、予め断熱材１２、耐水鋼板１３および防水シート１４をこの順に貼着して防水床パネルを形成しておくこともできる。このように、予め防水床パネルを形成しておくと、防水床パネルを現場に搬入して施工すればよいことから、現場作業を低減することが可能となる。
【０００８】
この場合、耐水鋼板１３のビス止め作業に支障が生じることがないように、防水シート１４は、耐水鋼板１３の立ち上がり部１３２に形成されたビス穴１３２ａより上方は接着されていない。
【０００９】
【発明が解決しようとする課題】
ところで、このように施工された防水床１０において、防水シート１４は、腰壁１５に接着剤を介して貼着されるため、接着剤が硬化するまでの一定時間養生させる必要がある。このため、詳細には図示しないが、外部床を包囲する腰壁１５，１５間にジャッキをかけ渡し、ネジを利用して防水シート１４を腰壁１５に押圧するようにしている。
【００１０】
しかしながら、防水シート１４の養生にジャッキを利用する場合、腰壁１５，１５間の間隔が必ずしも一定ではないことから、その間隔に対応した伸縮量を有する多数種類のジャッキが必要となるとともに、対向する腰壁１５，１５間の間隔が大きくなった場合、例えば、屋上床などの場合、施工は不可能となる。また、ジャッキは重く、持ち運びが不便である他、ジャッキの自重によって接着剤が硬化するまでの間に垂れ下がるおそれがあり、その際、防水シート１４にしわが発生するという問題がある。
【００１１】
本発明は、このような問題点に鑑みてなされたものであり、防水床を施工した際、腰壁間の間隔に関係なく防水シートを簡単確実に養生させることができるとともに、持ち運びも容易な防水床の施工用治具を提供するものである。
【００１２】
【課題を解決するための手段】
本発明は、外部床下地上に、断熱材、耐水鋼板および防水シートが接着剤を介して順に貼着され、防水シートの上端部が腰壁に接着剤を介して貼着された防水床において、腰壁に防水シートを貼着する際に使用される施工用治具であって、この施工用治具は、磁石を配設した基部と、この基部の前方に配置されて基部に対してその前方側に自重で回動するように軸支され、表面に弾性体が貼着された押圧部と、から構成され、基部が磁石を介して耐水鋼板に吸着されるとともに、押圧部が弾性体を介して腰壁に貼着された防水シートを押圧することを特徴とするものである。
【００１３】
本発明によれば、防水床の施工後、施工用治具を取り出して腰壁近傍の防水床上に配置した後、その基部を腰壁方向に押し出し、押圧部の前面に貼着された弾性体を、腰壁に貼着された防水シートに密接させる。ここで、基部は、磁石を介して防水床の耐水鋼板に吸着されるため、その位置を移動することなく維持する。また、押圧部は、その自重により、前方、すなわち、腰壁方向に回動するように軸支されていることから、弾性体を介して防水シートを押圧する。この際、弾性体は、防水シートの不陸に変形して追従する。
【００１４】
この結果、腰壁間の間隔に関係なく防水シートの養生に使用することができるとともに、持ち運びや操作も容易となる。また、押圧部が、その自重により、弾性体を介して防水シートを常時押圧するとともに、基部が磁石によって耐水性鋼板に吸着されてその位置を維持することから、防水シートにしわを発生させることなく接着剤が硬化するまで確実に防水シートを押圧して養生させることができる。
【００１５】
【発明の実施の形態】
以下、本発明の防水床の施工用治具の実施の形態について図面を参照しつつ説明する。
【００１６】
この施工用治具１は、後部上面にヒンジブラケット２１を設けた基部２と、この基部２の前方上方に配置され、背面にヒンジブラケット３１を設けた押圧部３と、から構成され、基部２のヒンジブラケット２１と押圧部３のヒンジブラケット３１とには、枢支ピン４が挿入されて押圧部３が基部２に対して回転自在に軸支されている。そして、基部２には、内部に磁石５（図２参照）が配設されており、鉄などに吸着することができる。また、押圧部３の前面には、ゴム、発泡体などの弾性体６が貼着されており、不陸を吸収することができる。
【００１７】
ここで、押圧部３は、自重により、枢支ピン４について、図１の時計回り方向に回転するようになっている。
【００１８】
したがって、防水床１０を施工した後、このように構成された施工用治具１を用いて防水シート１４を接着剤が硬化するまで養生させるときには、施工用治具１を腰壁１５近傍に配置し、基部２を前方である腰壁１５方向に押し出し、押圧部３の前面、すなわち、弾性体６を防水シート１４に密着させればよい。この際、基部２は、磁石５を介して耐水鋼板１３の平坦部１３１に吸着されてその位置を維持する一方、押圧部３は、その自重による前方への回転力を与えられて弾性体６を介して防水シート１４の不陸を吸収しつつ防水シート１４を押圧する。
【００１９】
このようにして、適宜間隔をおいて複数個の施工用治具１を防水床１０に配置し、その後、接着剤が硬化したならば、施工用治具１を上方に引き上げて、防水床１０から離脱させればよい。
【００２０】
この結果、施工用治具１は、施工された防水床１０の腰壁１５近傍に配置すればよいことから、防水床１０の、腰壁１５，１５間の間隔に関係なく防水シート１４の養生に使用することができるとともに、持ち運びや操作も容易となる。また、施工用治具１は、押圧部３が、その自重により、弾性体６を介して防水シート１４を押圧するとともに、基部２に配設した磁石を介して防水床１０の耐水鋼板１３に吸着されてその位置を移動することがないことから、防水シート１４の接着剤が硬化するまで確実に防水シート１４を押圧して養生させることができ、この際、防水シート１４にしわを発生させることもない。
【００２１】
【発明の効果】
以上のように本発明によれば、腰壁間の間隔に関係なく防水シートの養生に使用することができるとともに、持ち運びや操作も容易となる。また、押圧部が、その自重により、弾性体を介して防水シートを常時押圧するとともに、基部が磁石によって耐水鋼板に吸着されてその位置を維持することから、防水シートにしわを発生させることなく接着剤が硬化するまで確実に防水シートを押圧して養生させることができる。
【図面の簡単な説明】
【図１】本発明の防水床の施工用治具を示す斜視図である。
【図２】本発明の施工用治具を用いて防水床の防水シートの養生状態を説明する側面図である。
【図３】防水床の断面図である。
【図４】断熱材、耐水鋼板および防水シートを予め一体化した防水床パネルを示す斜視図である。
【符号の説明】
１  施工用治具
２  基体
３  押圧体
４  枢支ピン
５  磁石
６  弾性体
１０  防水床
１１  外部床下地
１２  断熱材
１３  耐水鋼板
１４  防水シート
１５  腰壁
【図１】
0003802332.tif 000002
【図２】
0003802332.tif 000003
【図３】
0003802332.tif 000004
【図４】
0003802332.tif 000005